(57)【要約】【課題】リテーナーに設けられた爪とブラケットに設けられた爪用掛止凹部との干渉によって生じる騒音を低減させる。【解決手段】固定構造３は、移動体で用いられる複数の部材を接続するための接続部材２を収容する収容部材３１を固定するリテーナー３２と、前記移動体に固定されており、リテーナー３２を固定するためのブラケット３３と、を有し、リテーナー３２は、接続部材２の移動方向と直交する方向の面を有する前面板部３２１と、ブラケット３３に形成された凹部３３２と接触する接触部３２７２と、を有し、接触部３２７２は、前面板部３２１における、接触部３２７２が接触する凹部３３２の内側面の方向と異なる方向の軸を起点として、前面板部３２１と異なる方向に延伸している面を有する。【選択図】図４
2018066446.tif 000002
【特許請求の範囲】
【請求項１】
移動体で用いられる複数の部材を接続するための接続部材を収容する収容部材を固定するリテーナーと、
前記移動体に固定されており、前記リテーナーを固定するためのブラケットと、
を有し、
前記リテーナーは、
前記接続部材の移動方向と直交する方向の面を有する板部と、
前記ブラケットに形成された凹部と接触する接触部と、
を有し、
前記接触部は、前記板部における、前記接触部が接触する前記凹部の内側面の方向と異なる方向の軸を起点として、前記板部と異なる方向に延伸している面を有することを特徴とする固定構造。
【請求項２】
前記軸は、前記内側面と直交していることを特徴とする、
請求項１に記載の固定構造。
【請求項３】
前記接触部は、前記接触部が接触する前記凹部の内側面の方向と異なる方向の軸を起点として、前記板部と異なる方向に延伸している面の輪郭線上の一辺で接触することを特徴とする、
請求項１又は２に記載の固定構造。
【請求項４】
前記接触部は、前記接触部が接触する前記凹部の内側面の方向と異なる方向の軸を起点として、前記板部と異なる方向に延伸している面の輪郭線上の一点で接触することを特徴とする、
請求項１又は２に記載の固定構造。
【請求項５】
前記接触部は、曲線状の軸を起点として、前記板部と異なる方向に延伸している曲面の輪郭線上の一部の領域で接触することを特徴とする、
請求項１又は２に記載の固定構造。
【請求項６】
移動体で用いられる部材を固定するリテーナーであって、
接続部材の移動方向と直交する方向の面を有する板部と、
前記移動体に固定されており、前記リテーナーを固定するためのブラケットに形成された凹部と接触する接触部と、
を有し、
前記接触部は、前記板部における、前記接触部が接触する前記凹部の内側面の方向と異なる方向の軸を起点として、前記板部と異なる方向に延伸している面を有することを特徴とするリテーナー。
【発明の詳細な説明】
【技術分野】
【０００１】
本発明は、固定構造及びリテーナーに関するものである。
【背景技術】
【０００２】
車両や航空機等の移動体には、ケーブル取付構造が設けられている。特許文献１には、ケーブルをケーブル取付部に固定する構造が開示されている。ケーブルソケットは、ソケット本体の取付溝部をケーブル取付部のソケット用取付凹部内の取付縁部に嵌合し、抜止め用爪を爪用掛止孔内の孔縁部に掛止することにより、抜脱が阻止されている。
【先行技術文献】
【特許文献】
【０００３】
【特許文献１】特開平１０−１１９５９９号公報
【発明の概要】
【発明が解決しようとする課題】
【０００４】
従来のケーブル取付構造において、ケーブルを例えば車両に固定するために、車両用のリテーナーが用いられる。例えば、リテーナーを用いてソケット本体をブラケットに固定する場合には、図９に示されるようなリテーナー９００が用いられる。リテーナー９００は、爪９０１と爪９０２とを有する。爪９０１は、ソケット本体をリテーナー９００に固定するための突起部である。爪９０２は、リテーナー９００をブラケットに固定するための突起部である。爪９０２は、長方形状を有する。
【０００５】
しかし、レバーを操作した場合に、爪９０２の長方形の一辺が、ブラケットに設けられた爪用掛止凹部の内側面と接触して干渉し、騒音が発生してしまうという問題が生じていた。
【０００６】
そこで、本発明はこれらの点に鑑みてなされたものであり、リテーナーに設けられた爪とブラケットに設けられた爪用掛止凹部との干渉によって生じる騒音を低減することを目的とする。
【課題を解決するための手段】
【０００７】
本発明の第１の態様においては、移動体で用いられる複数の部材を接続するための接続部材を収容する収容部材を固定するリテーナーと、前記移動体に固定されており、前記リテーナーを固定するためのブラケットと、を有し、前記リテーナーは、前記接続部材の移動方向と直交する方向の面を有する板部と、前記ブラケットに形成された凹部と接触する接触部と、を有し、前記接触部は、前記板部における、前記接触部が接触する前記凹部の内側面の方向と異なる方向の軸を起点として、前記板部と異なる方向に延伸している面を有することを特徴とする固定構造を提供する。
【０００８】
また、前記軸は、前記内側面と直交していてもよい。また、前記接触部は、前記接触部が接触する前記凹部の内側面の方向と異なる方向の軸を起点として、前記板部と異なる方向に延伸している面の輪郭線上の一辺で接触していてもよい。また、前記接触部は、前記接触部が接触する前記凹部の内側面の方向と異なる方向の軸を起点として、前記板部と異なる方向に延伸している面の輪郭線上の一点で接触していてもよい。また、前記接触部は、曲線状の軸を起点として、前記板部と異なる方向に延伸している曲面の輪郭線上の一部の領域で接触していてもよい。
【０００９】
本発明の第２の態様においては、移動体で用いられる部材を固定するリテーナーであって、接続部材の移動方向と直交する方向の面を有する板部と、前記移動体に固定されており、前記リテーナーを固定するためのブラケットに形成された凹部と接触する接触部と、を有し、前記接触部は、前記板部における、前記接触部が接触する前記凹部の内側面の方向と異なる方向の軸を起点として、前記板部と異なる方向に延伸している面を有することを特徴とするリテーナーを提供する。
【発明の効果】
【００１０】
本発明によれば、リテーナーに設けられた爪とブラケットに設けられた爪用掛止凹部とが接触して干渉することにより生じる騒音を低減させることができるという効果を奏する。
【図面の簡単な説明】
【００１１】
【図１】第１の実施形態に係る固定構造３が車両に設けられている構成を示す。
【図２】第１の実施形態に係る固定構造３の構成を示す。
【図３】第１の実施形態に係る固定構造３を構成する部材が分離された状態を示す。
【図４】第１の実施形態に係る固定構造３におけるリテーナー３２の構成を示す。
【図５】第１の実施形態に係る固定構造３におけるブラケット３３の構成を示す。
【図６】第１の実施形態に係る固定構造３におけるリテーナー３２の変形例であるリテーナー３２ａの構成を示す。
【図７】第２の実施形態に係る固定構造３におけるリテーナー３２ｂの構成を示す。
【図８】第３の実施形態に係る固定構造３におけるリテーナー３２ｃの構成を示す。
【図９】従来のリテーナー９００の構成を示す。
【発明を実施するための形態】
【００１２】
＜第１の実施形態＞
図１は、第１の実施形態に係る固定構造３が車両に設けられている構成を示す図である。
車両は、チェンジレバー１、接続部材２、及び固定構造３を有する。チェンジレバー１は、トランスミッションの歯車の組み合わせを切り替える操作レバーである。
【００１３】
接続部材２は、例えば、ケーブルである。接続部材２は、車両で用いられる複数の部材を接続する。具体的には、接続部材２は、チェンジレバー１とトランスミッションとの間に接続されている。接続部材２の長手方向における一方の端部は、チェンジレバー１に接続されている。接続部材２の長手方向におけるチェンジレバー１と接続されている側とは反対側の端部は、トランスミッションに接続されている。固定構造３は、接続部材２を車両に移動可能な状態で固定するための構造である。固定構造３の詳細は後述する。
【００１４】
図２は、第１の実施形態に係る固定構造３の構成を示す図である。図３は、第１の実施形態に係る固定構造３を構成する部材が分離された状態を示す図である。固定構造３は、収容部材３１、リテーナー３２、及びブラケット３３を有する。収容部材３１は、例えば、ケーブルソケットである。収容部材３１は、接続部材２を収容する。収容部材３１は、略円筒形状を有する。収容部材３１は、接続部材２の外側面側に設けられている。収容部材３１は、溝部３１１を有する。溝部３１１は、収容部材３１の外側面に設けられている溝である。
【００１５】
リテーナー３２は、車両で用いられる部材を固定する部材である。リテーナー３２は、例えば、車両で用いられる複数の部材を接続するための接続部材２を収容する収容部材３１を固定する部材であり、例えば金属製である。具体的には、リテーナー３２は、収容部材３１をブラケット３３に保持するための保持部品である。リテーナー３２は、爪３２５と爪３２７とを有する。爪３２５は、収容部材３１をリテーナー３２に固定するための突起部である。爪３２７は、リテーナー３２をブラケット３３に固定するための突起部である。リテーナー３２の詳細は、後述する。
【００１６】
ブラケット３３は、車両に固定されており、リテーナー３２を固定するための取付部材である。ブラケット３３は、凹部３３１と凹部３３２とを有する。凹部３３１は、収容部材３１が挿入される凹部である。凹部３３２は、リテーナー３２の爪３２７が掛止めされる凹部である。
【００１７】
凹部３３２は、例えば、直方体形状である。凹部３３２は、上面３３２１、下面３３２２、及び側面３３２３を有する。上面３３２１は、凹部３３２の内側面のうち、ブラケット３３に収容部材３１が挿入される側の面である。下面３３２２は、凹部３３２の内側面のうち上面３３２１とは反対側の面である。側面３３２３は、上面３３２１と下面３３２２とを接続する面である。複数の凹部３３２が、凹部３３１の内側面に設けられている。リテーナー３２がブラケット３３に取付けられる構成の詳細は後述する。
【００１８】
図４は、第１の実施形態に係る固定構造３におけるリテーナー３２の構成を示す図である。図４（ａ）は、図２におけるリテーナー３２をＸの向きに見た図である。図４（ｂ）は、図２におけるリテーナー３２をＹの向きに見た図である。図５は、第１の実施形態に係る固定構造３におけるブラケット３３の構成を示す図である。図５（ａ）は、図２におけるブラケット３３をＸの向きに見た図である。図５（ｂ）は、図５（ａ）のＸ−Ｘ線断面図である。
【００１９】
リテーナー３２は、前面板部３２１、後面板部３２２、横板部３２３、凹部３２４、爪３２５、穴３２６、及び爪３２７を有する。前面板部３２１は、例えば、収容部材３１の軸方向と直交している。前面板部３２１は、接続部材２の移動方向と直交する方向の面を有する。接続部材２の移動方向とは、接続部材２の機能を果たす動作において移動する方向であり、例えば、ギアチェンジが発生した場合にチェンジレバー１とトランスミッションとの間で接続部材２が移動する方向である。前面板部３２１は、ブラケット３３のチェンジレバー１側の面と接触する。
【００２０】
後面板部３２２は、前面板部３２１と平行である。後面板部３２２は、接続部材２の移動方向と直交する方向の面を有する。後面板部３２２は、ブラケット３３のチェンジレバー１側の面とは反対側の面と接触する。横板部３２３は、前面板部３２１と後面板部３２２との上端に、前面板部３２１と後面板部３２２とに直交して設けられている。横板部３２３は、ブラケット３３の収容部材３１が挿入される側の面と接触する。
【００２１】
凹部３２４は、収容部材３１を挿入するための凹部である。具体的には、凹部３２４には、収容部材３１の溝部３１１が挿入される。凹部３２４は、前面板部３２１及び後面板部３２２に設けられている。爪３２５は、収容部材３１をリテーナー３２に固定するための爪である。爪３２５は、弾性を有する金属製である。複数の爪３２５が、前面板部３２１の上端部付近に設けられている。
【００２２】
爪３２５は、前面板部３２１に、後面板部３２２から前面板部３２１に向かう向きに向かって突出して設けられている。具体的には、爪３２５は、前面板部３２１内の軸を起点として、爪３２５の軸とは反対側の先端部が、前面板部３２１の後面板部３２２とは反対側に位置するように、前面板部３２１に所定の角度、傾斜して設けられている。
【００２３】
凹部３２４に収容部材３１が挿入されると、収容部材３１が複数の爪３２５の間に挟まれた状態で、収容部材３１の外周面が複数の爪３２５と接触する。この状態で、収容部材３１をリテーナー３２から取外そうとすると、収容部材３１が複数の爪３２５に引掛けられている状態となり、収容部材３１は、リテーナー３２から分離されない。このようにして、収容部材３１は、リテーナー３２に固定される。
【００２４】
穴３２６は、穴３２６の内側面の一辺に爪３２７が設けられている穴である。穴３２６は、前面板部３２１において、爪３２５が設けられている位置よりも、横板部３２３から離れた位置に設けられている。複数の穴３２６が、前面板部３２１に設けられている。穴３２６は、四角形状を有しているが、穴３２６の形状は任意である。
【００２５】
爪３２７は、リテーナー３２をブラケット３３に固定するための爪である。爪３２７は、弾性を有する金属製である。爪３２７は、爪基部３２７１と接触部３２７２とを有する。爪基部３２７１及び接触部３２７２は、例えば、穴３２６内の板状部材が折り曲げられることにより形成されている。爪基部３２７１は、例えば、穴３２６の一辺を起点として、前面板部３２１と同じ平面内に設けられている。
【００２６】
接触部３２７２は、ブラケット３３に形成された凹部３３２と接触する部位である。接触部３２７２は、前面板部３２１における、接触部３２７２が接触する凹部３３２の内側面の方向と異なる方向の軸を起点として、前面板部３２１と異なる方向に延伸している面を有する。接触部３２７２が接触する凹部３３２の内側面は、上面３３２１である。接触部３２７２が延伸する起点となる軸は、例えば、爪基部３２７１と接触部３２７２とを形成するために板状部材が折り曲げられた直線部である。軸は、例えば、接触部３２７２が接触する凹部３３２の内側面と直交している。
【００２７】
具体的には、例えば、接触部３２７２は、爪基部３２７１の爪基部３２７１が前面板部３２１に設けられている側の端部とは反対側の端部から、爪基部３２７１と直交して後面板部３２２に向かって延伸して設けられている。爪基部３２７１が穴３２６の内側面のうちのどの側面に設けられているのかは任意である。
【００２８】
リテーナー３２は、リテーナー３２の前面板部３２１と後面板部３２２とで、ブラケット３３を挟み込むようにして、ブラケット３３に取付けられる。リテーナー３２がブラケット３３に取付けられると、接触部３２７２がブラケット３３の凹部３３２の内側に位置する。この状態で、リテーナー３２がブラケット３３から取外されようとすると、リテーナー３２の接触部３２７２がブラケット３３の凹部３３２の内側面のうち上面３３２１に接触して引掛り、リテーナー３２がブラケット３３から分離されない。このようにして、リテーナー３２は、ブラケット３３に固定される。
【００２９】
リテーナー３２がブラケット３３に固定された状態で、運転手がチェンジレバー１を操作すると、接続部材２が移動することで、リテーナー３２がわずかに移動する。このとき、接触部３２７２は、接触部３２７２が接触する凹部３３２の内側面の方向と異なる方向の軸を起点として、前面板部３２１と異なる方向に延伸している面の輪郭線上の一辺で接触する。具体的には、チェンジレバー１を操作すると、接触部３２７２における横板部３２３側の一辺が、ブラケット３３の凹部３３２の内側面と接触する。この結果、リテーナー３２が移動することで、接触部３２７２と、ブラケット３３の凹部３３２の内側面のうちの上面３３２１とが接触して干渉する。
【００３０】
しかしながら、このとき、接触部３２７２の横板部３２３側の辺の方向と、接触部３２７２の主要な移動方向の方向とが同じ方向である。この結果、接触部３２７２が凹部３３２の内側面と接触して干渉した状態で発生する騒音を低減させることができる。
【００３１】
［変形例］
図６は第１の実施形態に係る固定構造３におけるリテーナー３２の変形例であるリテーナー３２ａの構成を示す図である。図６（ａ）は、図２におけるリテーナー３２をリテーナー３２ａに置換してＸの向きに見た図である。図６（ｂ）は、図２におけるリテーナー３２をリテーナー３２ａに置換してＹの向きに見た図である。
【００３２】
リテーナー３２ａは、穴３２６ａと爪３２７ａを有する点で、リテーナー３２とは異なる。穴３２６ａは、穴３２６と同様に、穴３２６ａの内側面の一辺に爪が設けられている穴である。穴３２６ａは、穴３２６と同様に、前面板部３２１に設けられている。複数の穴３２６ａが、前面板部３２１に設けられている。穴３２６ａは、三角形状を有しているが、穴３２６ａの形状は任意である。
【００３３】
爪３２７ａは、爪３２７と同様に、リテーナー３２ａをブラケット３３に固定するための爪である。爪３２７ａは、穴３２６ａの内側面のうちの一辺に設けられている。本変形例におけるリテーナー３２ａでは、爪３２７ａは、接触部３２７２ａである。
【００３４】
接触部３２７２ａは、接触部３２７２と同様に、ブラケット３３に形成された凹部３３２と接触する部位である。接触部３２７２ａは、前面板部３２１における、接触部３２７２ａが接触する凹部３３２の内側面の方向と異なる方向の軸を起点として、前面板部３２１と異なる方向に延伸している面を有する。接触部３２７２ａが接触する凹部３３２の内側面は、上面３３２１である。接触部３２７２ａが延伸する起点となる軸は、例えば、接触部３２７２ａを形成するために板状部材が折り曲げられた直線部である。
【００３５】
具体的には、接触部３２７２ａは、例えば、穴３２６ａの内側面のうち、凹部３２４から最も離れた側の一辺から、前面板部３２１と直交して後面板部３２２に向かって延伸して設けられている。より具体的には、接触部３２７２ａは、穴３２６ａと同じ形状の板状部材が、穴３２６ａの縦方向の辺を軸として折り曲げることにより形成されている。なお、接触部３２７２ａが穴３２６ａの内側面のうちのどの側面に設けられているのかは任意である。
【００３６】
運転手がチェンジレバー１を操作すると、接触部３２７２ａにおける横板部３２３側の一辺が、ブラケット３３の凹部３３２の内側面に接触する。この結果、リテーナー３２が移動することで、接触部３２７２ａと、ブラケット３３の凹部３３２の内側面のうちの上面３３２１とが接触して干渉する。
【００３７】
しかしながら、このとき、接触部３２７２ａの横板部３２３側の辺の方向と、接触部３２７２ａの主要な移動方向の方向とが同じ方向である。この結果、接触部３２７２ａが凹部３３２の内側面と接触して干渉した状態で発生する騒音を低減させることができる。
【００３８】
［第１の実施形態に係る固定構造３による効果］
第１の実施形態に係る固定構造３は、移動体で用いられる複数の部材を接続するための接続部材２を収容する収容部材３１を固定するリテーナー３２と、移動体に固定されており、リテーナー３２を固定するためのブラケット３３と、を有する。そして、リテーナー３２は、接続部材２の移動方向と直交する方向の面を有する前面板部３２１と、ブラケット３３に形成された凹部３３２と接触する接触部３２７２と、を有する。そして、接触部３２７２は、前面板部３２１における、接触部３２７２が接触する凹部３３２の内側面の方向と異なる方向の軸を起点として、前面板部３２１と異なる方向に延伸している面を有する。
【００３９】
第１の実施形態に係る固定構造３は、このような構成を有するので、リテーナーに設けられた爪とブラケットに設けられた爪用掛止凹部との干渉によって生じる騒音を低減させることができる。
【００４０】
＜第２の実施形態＞
図７は、第２の実施形態に係る固定構造３におけるリテーナー３２ｂの構成を示す図である。図７（ａ）は、図２におけるリテーナー３２をリテーナー３２ｂに置換してＸの向きに見た図である。図７（ｂ）は、図２におけるリテーナー３２をリテーナー３２ｂに置換してＹの向きに見た図である。
【００４１】
リテーナー３２ｂは、穴３２６ｂと爪３２７ｂを有する点で、リテーナー３２とは異なる。穴３２６ｂは、穴３２６と同様に、穴３２６ｂの内側面の一辺に爪３２７ｂが設けられている穴である。穴３２６ｂは、穴３２６と同様に、前面板部３２１に設けられている。複数の穴３２６ｂが、前面板部３２１に設けられている。穴３２６ｂは、四角形状を有しているが、穴３２６ｂの形状は任意である。
【００４２】
爪３２７ｂは、爪３２７と同様に、リテーナー３２ｂをブラケット３３に固定するための爪である。爪３２７ｂは、弾性を有する金属製である。爪３２７ｂは、穴３２６ｂの一辺から突出した板状部材を、当該一辺と平行でない線に沿って折り曲げることにより形成されている。爪３２７ｂは、爪基部３２７１ｂと接触部３２７２ｂとを有する。爪基部３２７１ｂは、例えば、穴３２６ｂの一辺を起点として、前面板部３２１と同じ平面内に設けられている。
【００４３】
接触部３２７２ｂは、接触部３２７２と同様に、ブラケット３３に形成された凹部３３２と接触する部位である。接触部３２７２ｂは、前面板部３２１における、接触部３２７２ｂが接触する凹部３３２の内側面の方向と異なる方向の軸を起点として、前面板部３２１と異なる方向に延伸している面を有する。接触部３２７２ｂが接触する凹部３３２の内側面は、上面３３２１である。接触部３２７２ｂが延伸する起点となる軸は、例えば、爪基部３２７１ｂと接触部３２７２ｂとを形成するために板状部材が折り曲げられた直線部である。
【００４４】
具体的には、例えば、接触部３２７２ｂは、爪基部３２７１ｂの爪基部３２７１ｂが前面板部３２１に設けられている側の端部とは反対側の端部から、爪基部３２７１ｂと直交して後面板部３２２に向かって延伸して設けられている。爪基部３２７１ｂが穴３２６ｂの内側面のうちのどの側面に設けられているのかは任意である。
【００４５】
リテーナー３２ｂがブラケット３３に固定された状態で、運転手がチェンジレバー１を操作すると、接続部材２が移動することで、リテーナー３２ｂが移動する。このとき、接触部３２７２ｂは、接触部３２７２ｂが接触する凹部３３２の内側面の方向と異なる方向の軸を起点として、前面板部３２１と異なる方向に延伸している面の輪郭線上の一点で接触する。
【００４６】
具体的には、運転手がチェンジレバー１を操作すると、接触部３２７２ｂにおける横板部３２３側の一点が、ブラケット３３の凹部３３２の内側面のうちの上面３３２１に接触する。この結果、リテーナー３２ｂが移動することで、接触部３２７２ｂと、ブラケット３３の凹部３３２の内側面のうちの上面３３２１とが接触して干渉する。
【００４７】
しかしながら、このとき、接触部３２７２ｂは、接触部３２７２ｂの輪郭線上の一点が、ブラケット３３の凹部３３２の内側面のうちの上面３３２１と接触する。接触部３２７２ｂが、一点で上面３３２１と接触することにより、接触部３２７２ｂが凹部３３２の内側面と接触して干渉した状態で発生する騒音を低減させることができる。
【００４８】
＜第３の実施形態＞
図８は、第３の実施形態に係る固定構造におけるリテーナー３２ｃの構成を示す図である。図８（ａ）は、図２におけるリテーナー３２をリテーナー３２ｃに置換してＸの向きに見た図である。図８（ｂ）は、図２におけるリテーナー３２をリテーナー３２ｃに置換してＹの向きに見た図である。
【００４９】
リテーナー３２ｃは、穴３２６ｃと爪３２７ｃを有する点で、リテーナー３２とは異なる。穴３２６ｃは、穴３２６と同様に、穴３２６ｃの内側面の一辺に爪が設けられている穴である。穴３２６ｃは、穴３２６と同様に、前面板部３２１に設けられている。複数の穴３２６ｃが、前面板部３２１に設けられている。
【００５０】
爪３２７ｃは、爪３２７と同様に、リテーナー３２ｃをブラケット３３に固定するための爪である。爪３２７ｃは、穴３２６ｃの曲線部を軸として、リテーナー３２ｃの内側に延伸している。第３の実施形態に係る固定構造における爪３２７ｃは、湾曲形状を有する接触部３２７２ｃにより構成されており、上側から接触部３２７２ｃを見た時の形状は円弧状であるが、上側から接触部３２７２ｃを見た時の形状は任意である。
【００５１】
接触部３２７２ｃは、接触部３２７２と同様に、ブラケット３３に形成された凹部３３２と接触する部材である。接触部３２７２ｃは、前面板部３２１における、接触部３２７２ｃが接触する凹部３３２の内側面の方向と異なる方向の軸を起点として、前面板部３２１と異なる方向に延伸している面を有する。
【００５２】
接触部３２７２ｃが接触する凹部３３２の内側面は、上面３３２１である。接触部３２７２ｃが延伸する起点となる軸は、例えば、接触部３２７２ｃを形成するために板状部を押し出し成形することによって生じる曲線部である。具体的には、接触部３２７２ｃは、例えば、穴３２６ｃの湾曲した部分の辺から、後面板部３２２に向かって延伸して設けられている。
【００５３】
リテーナー３２ｃがブラケット３３に固定された状態で、運転手がチェンジレバー１を操作すると、接続部材２が移動することで、リテーナー３２が移動する。このとき、接触部３２７２ｃは、曲線状の軸を起点として、前面板部３２１と異なる方向に延伸している曲面の輪郭線上の一部の領域で接触する。具体的には、運転手がチェンジレバー１を操作すると、接触部３２７２ｃにおける横板部３２３側の円弧状の端部が、ブラケット３３の凹部３３２の内側面に接触する。この結果、リテーナー３２ｃが移動することで、接触部３２７２ｃと、ブラケット３３の凹部３３２の内側面のうちの上面３３２１とが接触して干渉する。
【００５４】
しかしながら、このとき、接触部３２７２ｃの端部が曲線形状を有するので、接触部３２７２ｃの主要な移動方向に対し直角になる線接触が無くなる。その結果、接触部３２７２ｃが凹部３３２の内側面と接触して干渉した状態で発生する騒音を低減させることができる。
【００５５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。例えば、上記の説明においては、固定構造３が車両に設けられている例について説明したが、固定構造３は、航空機又は船舶のような車両以外の移動体に設けられていてもよい。
【００５６】
また、第１の実施形態から第３の実施形態では、爪３２５及び爪３２７は前面板部３２１に設けられているが、爪３２５は前面板部３２１に設けられており、爪３２７は後面板部３２２に設けられていてもよい。また、爪３２５は後面板部３２２に設けられており、爪３２７は前面板部３２１に設けられていてもよい。
【符号の説明】
【００５７】
１・・・チェンジレバー
２・・・接続部材
３・・・固定構造
３１・・・収容部材
３１１・・・溝部
３２、３２ａ、３２ｂ、３２ｃ・・・リテーナー
３２１・・・前面板部
３２２・・・後面板部
３２３・・・横板部
３２４・・・凹部
３２５・・・爪
３２６、３２６ａ、３２６ｂ、３２６ｃ・・・穴
３２７、３２７ａ、３２７ｂ、３２７ｃ・・・爪
３２７１、３２７１ｂ・・・爪基部
３２７２、３２７２ａ、３２７２ｂ、３２７２ｃ・・・接触部
３３・・・ブラケット
３３１・・・凹部
３３２・・・凹部
３３２１・・・上面
３３２２・・・下面
３３２３・・・側面
９００・・・リテーナー
９０１・・・爪
９０２・・・爪
【図１】
2018066446.tif 000003
【図２】
2018066446.tif 000004
【図３】
2018066446.tif 000005
【図４】
2018066446.tif 000006
【図５】
2018066446.tif 000007
【図６】
2018066446.tif 000008
【図７】
2018066446.tif 000009
【図８】
2018066446.tif 000010
【図９】
2018066446.tif 000011